(57)【要約】  本発明は、通信システムにおける移動端末機がサービングアンカー基地局からターゲットアンカー基地局への高速スイッチングを行った後、ターゲットアンカー基地局から割り当てられたチャネル品質情報チャネルが存在しないことを検出し、割り当てられたチャネル品質情報チャネルが存在しないことを検出すると、移動端末機がチャネル品質情報チャネルの割当要求をターゲットアンカー基地局へ送信し、チャネル品質情報チャネルの割当要求を受信すると、ターゲットアンカー基地局がチャネル品質情報チャネルを移動端末機に割り当てるべきことを検出することを特徴とする。
2008526160.tif 000002
【特許請求の範囲】
【請求項１】
通信システムにおけるチャネル品質情報チャネルの割当てを要求する方法であって、
サービングアンカー基地局からターゲットアンカー基地局へのスイッチングを行った後、前記ターゲットアンカー基地局から割り当てられたチャネル品質情報チャネルが存在しないことを検出するステップと、
前記割り当てられたチャネル品質情報チャネルが存在しないことを検出すると、前記チャネル品質情報チャネルの割当要求を前記ターゲットアンカー基地局へ送信するステップと
を具備することを特徴とする方法。
【請求項２】
前記チャネル品質情報チャネルの割当要求を送信するステップは、前記チャネル品質情報チャネルの割当てを要求するチャネル品質情報チャネル割当要求ヘッダーを前記ターゲットアンカー基地局へ送信するステップを含むことを特徴とする請求項１記載の方法。
【請求項３】
前記チャネル品質情報チャネルの割当要求を送信するステップは、前記チャネル品質情報チャネルの割当てを要求するチャネル品質情報チャネル割当要求ヘッダーを前記ターゲットアンカー基地局へ送信するステップを含み、前記チャネル品質情報チャネル割当要求ヘッダーは、前記ターゲットアンカー基地局のチャネル品質情報を含むことを特徴とする請求項１記載の方法。
【請求項４】
前記チャネル品質情報チャネル割当要求ヘッダーは、予め定められたタイプを有する媒体アクセス制御ヘッダーであることを特徴とする請求項２記載の方法。
【請求項５】
通信システムにおけるチャネル品質情報チャネルを割り当てる方法であって、
移動端末機から前記移動端末機の高速スイッチングのためのチャネル品質情報チャネルの割当要求を受信するステップと、
前記チャネル品質情報チャネルの割当要求を受信すると、前記チャネル品質情報チャネルを前記移動端末機に割り当てるべきことを検出するステップと
を具備することを特徴とする方法。
【請求項６】
前記チャネル品質情報チャネルを前記移動端末機に割り当てるべきことを検出した後、前記移動端末機に前記チャネル品質情報チャネルを割り当てるステップと、
前記チャネル品質情報チャネルに関する割当情報を前記移動端末機へ送信するステップと
をさらに具備することを特徴とする請求項５記載の方法。
【請求項７】
前記チャネル品質情報チャネルの割当要求を受信するステップは、前記チャネル品質情報チャネルの割当てを要求するチャネル品質情報チャネル割当要求ヘッダーを受信するステップを含むことを特徴とする請求項５記載の方法。
【請求項８】
前記チャネル品質情報チャネルの割当要求を受信するステップは、前記チャネル品質情報チャネルの割当てを要求するチャネル品質情報チャネル割当要求ヘッダーを受信するステップを含み、前記チャネル品質情報チャネル割当要求ヘッダーは、前記ターゲットアンカー基地局のチャネル品質情報を含むことを特徴とする請求項５記載の方法。
【請求項９】
前記チャネル品質情報チャネル割当要求ヘッダーは、予め定められたタイプを有する媒体アクセス制御ヘッダーであることを特徴とする請求項７記載の方法。
【請求項１０】
通信システムにおけるチャネル品質情報チャネルを割り当てる方法であって、
移動端末機がサービングアンカー基地局からターゲットアンカー基地局へのスイッチングを行った後、前記ターゲットアンカー基地局から割り当てられたチャネル品質情報チャネルが存在しないことを検出するステップと、
前記割り当てられたチャネル品質情報チャネルが存在しないことを検出すると、前記移動端末機が前記チャネル品質情報チャネルの割当要求を前記ターゲットアンカー基地局へ送信するステップと、
前記チャネル品質情報チャネルの割当要求を受信すると、前記ターゲットアンカー基地局が前記チャネル品質情報チャネルを前記移動端末機に割り当てるべきことを検出するステップと
を具備することを特徴とする方法。
【請求項１１】
通信システムにおけるチャネル品質情報チャネルを割り当てる方法であって、
前記チャネル品質情報チャネルを前記移動端末機に割り当てるべきことを検出した後、前記ターゲットアンカー基地局が前記チャネル品質情報チャネルを前記移動端末機に割り当てるステップと、
前記ターゲットアンカー基地局が前記チャネル品質情報チャネルに関する割当情報を前記移動端末機へ送信するステップと
をさらに具備することを特徴とする請求項１０記載の方法。
【請求項１２】
前記移動端末機が前記チャネル品質情報チャネルの割当要求を送信するステップは、前記チャネル品質情報チャネルの割当てを要求するチャネル品質情報チャネル割当要求ヘッダーを前記ターゲットアンカー基地局へ送信するステップを含むことを特徴とする請求項１０記載の方法。
【請求項１３】
前記移動端末機が前記チャネル品質情報チャネルの割当要求を送信するステップは、前記チャネル品質情報チャネルの割当てを要求するチャネル品質情報チャネル割当要求ヘッダーを前記ターゲットアンカー基地局へ送信するステップを含み、前記チャネル品質情報チャネル割当要求ヘッダーは、前記ターゲットアンカー基地局のチャネル品質情報を含むことを特徴とする請求項１０記載の方法。
【請求項１４】
前記チャネル品質情報チャネル割当要求ヘッダーは、予め定められたタイプを有する媒体アクセス制御ヘッダーであることを特徴とする請求項１２記載の方法。
【請求項１５】
通信システムにおけるチャネル品質情報チャネルを割り当てるシステムであって、
サービングアンカー基地局からターゲットアンカー基地局へのスイッチングを行った後、前記ターゲットアンカー基地局から割り当てられたチャネル品質情報チャネルが存在しないことを検出すると、前記チャネル品質情報チャネルの割当要求を前記ターゲットアンカー基地局へ送信する移動端末機と、
前記チャネル品質情報チャネルの割当要求を受信すると、前記チャネル品質情報チャネルを前記移動端末機に割り当てるべきことを検出する前記ターゲットアンカー基地局と
を具備することを特徴とするシステム。
【請求項１６】
前記ターゲットアンカー基地局は、前記チャネル品質情報チャネルを前記移動端末機に割り当てるべきことを検出すると、前記チャネル品質情報チャネルを前記移動端末機に割り当て、前記チャネル品質情報チャネルに関する割当情報を前記移動端末機へ送信することを特徴とする請求項１５記載のシステム。
【請求項１７】
前記移動端末機は、前記チャネル品質情報チャネルの割当を要求するチャネル品質情報チャネル割当要求ヘッダーを前記ターゲットアンカー基地局へ送信することによって、前記チャネル品質情報チャネルの割当てを要求することを特徴とする請求項１５記載のシステム。
【請求項１８】
前記移動端末機は、前記チャネル品質情報チャネルの割当を要求するチャネル品質情報チャネル割当要求ヘッダーを前記ターゲットアンカー基地局へ送信することによって、前記チャネル品質情報チャネルの割当てを要求し、前記チャネル品質情報チャネル割当要求ヘッダーは、前記ターゲットアンカー基地局のチャネル品質情報を含むことを特徴とする請求項１５記載のシステム。
【請求項１９】
前記チャネル品質情報チャネル割当要求ヘッダーは、予め定められたタイプを有する媒体アクセス制御ヘッダーであることを特徴とする請求項１７記載のシステム。
【請求項２０】
無線通信システムにおける高速基地局スイッチング方法であって、
移動端末機がサービングアンカー基地局からターゲットアンカー基地局へのスイッチングを行うステップと、
前記移動端末機が前記ターゲットアンカー基地局からのマップをモニタリングし、前記スイッチング後に、チャネル品質情報チャネルの割当てを待機するステップと、
前記移動端末機が前記ターゲットアンカー基地局に前記チャネル品質情報チャネルの割当てを要求するステップと
を具備することを特徴とする方法。
【請求項２１】
前記チャネル品質情報チャネルの割当てを要求するステップは、前記移動端末機から前記ターゲットアンカー基地局へ前記チャネル品質情報チャネルの割当要求情報を含む媒体アクセス制御ヘッダーを送信することによって行われることを特徴とする請求項２０記載の方法。
【発明の詳細な説明】
【技術分野】
【０００１】
本発明は、通信システムにおけるチャネル品質情報チャネル（Channel Quality Information Channel：以下、“ＣＱＩＣＨ”と称する）を割り当てるシステム及び方法に関する。
【背景技術】
【０００２】
次世代通信システムでは、高速のデータ転送速度で所望のサービス品質（Quality of Service：以下、“ＱｏＳ”と称する）を満足することができるサービスをユーザに提供するための活発な研究が進んでいる。
【０００３】
一方、無線近距離通信ネットワーク（Local Area Network：以下、“ＬＡＮ”と称する）システム及び都市規模通信網（Metropolitan Area Network：以下、“ＭＡＮ”と称する。）通信システムは、高速の転送速度をサポートする。ここで、広帯域無線接続（Broadband Wireless Access：以下、“ＢＷＡ”と称する）通信システムの１つである無線ＭＡＮ通信システムは、無線ＬＡＮ通信システムに比べて、さらに広いサービスエリアを有し、さらなる高速の転送速度をサポートする。従って、現在の次世代通信システムにおいては、比較的高い転送速度を保証する無線ＬＡＮ通信システム及び無線ＭＡＮ通信システムに加入者端末機（Subscriber Station：以下、“ＳＳ”と称する）の移動性及びＱｏＳを保証する形態で新たな通信システムを開発して、次世代通信システムから提供される高速のサービスに対応するための研究が活発に進んでいる。
【０００４】
無線ＭＡＮシステムの物理チャネル（physical channel）において、広帯域送信ネットワークをサポートするために、直交周波数分割多元（Orthogonal Frequency Division Multiplexing：以下、“ＯＦＤＭ”と称する）方式／直交周波数分割多元接続（Orthogonal Frequency Division Multiplexing Access：以下、“ＯＦＤＭＡ”と称する）方式を採用するシステムが、ＩＥＥＥ（Institute of Electrical and Electronics Engineers）８０２．１６通信システムである。ＩＥＥＥ ８０２．１６通信システムは、無線ＭＡＮシステムにＯＦＤＭ／ＯＦＤＭＡ方式を適用するために、複数のサブキャリヤ（sub-carrier）を用いて物理チャネル信号を送信することによって、高速のデータ送信をサポートすることができる。以下、説明の便宜上、典型的なＢＷＡ通信システムの１つであるＩＥＥＥ８０２．１６通信システムの例を挙げて説明する。
【０００５】
ＩＥＥＥ８０２．１６通信システムにおけるサービング（serving）基地局（base station：ＢＳ）からターゲット基地局（target BS）への接続スイッチング、すなわち、ハンドオーバを遂行する多様な方式の中で高速基地局スイッチング（Fast Base Station Switching：以下、“ＦＢＳＳ”と称する）方式について説明する。
【０００６】
ＦＢＳＳ方式は、リンク品質（link quality）を向上させるために選択ダイバーシティ（selection diversity）と高速スイッチングメカニズム（fast switching mechanism）とを使用するハンドオーバ方式である。ＦＢＳＳ方式を使用する場合、移動端末機（Mobile Station：以下、“ＭＳ”と称する）は、ＭＳのダイバーシティセット（diversity set）に含まれているアクティブＢＳのうちの１つのアクティブＢＳ、すなわち、アンカー（Anchor）ＢＳのみと信号を送受信する。ここで、アンカーＢＳは、一種のサービングＢＳであり、ＭＳのＢＳ選択方式に従って変更可能（すなわち、スイッチング可能）である。上記ダイバーシティセットについて説明すると、次の通りである。
【０００７】
まず、ＭＳのダイバーシティセットを構成するアクティブＢＳの各々は、臨時ＢＳ識別子（Temporary Base station Indicator：以下、“Ｔｅｍｐ ＢＳ ＩＤ”と称する）で識別され、上記ダイバーシティセットを構成するすべてのアクティブＢＳは、該当ＭＳの収容能力（share capability）と、セキュリティーパラメータ（security parameters）と、サービスパラメータ（service parameters）と、媒体アクセス制御（Medium Access Control：以下、“ＭＡＣ”と称する）レイヤー関連コンテキスト情報（full MAC context information）とを共有する。上記ダイバーシティセットを構成するアクティブＢＳの各々は、各アクティブＢＳから受信される信号の強度に従って、上記ダイバーシティセットから除外されることもでき、現在上記ダイバーシティセットに含まれていない新たなＢＳが新たなアクティブＢＳとして設定されたダイバーシティセットに付加されることもできる。
【０００８】
一方、ＭＳは、アンカーＢＳとして設定された上記ダイバーシティセットを構成するアクティブＢＳのうちのいずれか一つを選択する。この場合、アンカーＢＳとして選択されたアクティブＢＳから受信される信号の強度、例えば、キャリア対干渉雑音比（Carrier to Interference and Noise Ratio：以下、“ＣＩＮＲ”と称する）が他のアクティブＢＳから送信される信号のＣＩＮＲと比較して最も大きい。従って、ＦＢＳＳ方式において、ＭＳは、アンカーＢＳのみと通信を遂行する。ここで、現在ＭＳと通信を遂行しているアンカーＢＳを“サービングアンカーＢＳ”と呼ぶ。ＭＳは、サービングアンカーＢＳとの通信を遂行する間に、上記ダイバーシティセットを構成するアクティブＢＳの各々に対して信号品質を測定する。上記“信号品質を測定する”とは、該当パイロット信号のＣＩＮＲを測定することを意味する。上記信号品質の測定結果、現在のサービングアンカーＢＳの信号品質より優れた信号品質を提供するアクティブＢＳが存在することを検出すると、ＭＳは、サービングアンカーＢＳから現在のサービングアンカーＢＳの信号品質より優れた信号品質を提供するアクティブＢＳへのハンドオーバを遂行することを決定することによって、高速スイッチングを遂行する。ここで、上記現在のサービングアンカーＢＳの信号品質より優れた信号品質を提供し、ＭＳが高速スイッチングを遂行するアクティブＢＳを“ターゲットアンカーＢＳ”と呼ぶ。
【０００９】
図１を参照すると、ステップＳ１０１で、ＭＳは、サービングアンカーＢＳと通信を遂行する。この後、ＭＳは、ステップＳ１０３で、ＭＳのダイバーシティセットを構成するアクティブＢＳの各々に対する信号品質を測定する。ここで、ＭＳがサービングアンカーＢＳと通信を遂行するということは、ＭＳのための割当情報が、サービングアンカーＢＳが送信したＭＡＰメッセージ、すなわち、ダウンリンク（downlink）ＭＡＰ（ＤＬ-ＭＡＰ）メッセージ及びアップリンク（uplink）ＭＡＰ（ＵＬ-ＭＡＰ）メッセージに含まれていることを意味する。
【００１０】
ステップＳ１０５で、ＭＳは、サービングアンカーＢＳを変更しなければならないか否か、すなわち、高速スイッチング動作を遂行しなければならないか否かを検査する。ここで、ＭＳは、サービングアンカーＢＳの信号品質より優れた信号品質を有するアクティブＢＳが存在する場合、サービングアンカーＢＳを変更すべきことを決定する。上記検査の結果、アンカーＢＳを変更する必要がない場合、ＭＳは、ステップＳ１０１へ戻る。しかしながら、上記検査の結果、ステップＳ１０５で、アンカーＢＳを変更しなければならない場合、ＭＳは、ステップＳ１０７へ進行する。
【００１１】
ステップＳ１０７で、ＭＳは、スイッチ区間（switch period）の開始時点を検出する。ここで、上記スイッチ区間とは、ＭＳがサービングアンカーＢＳでない新たなアクティブＢＳ、すなわち、ターゲットアンカーＢＳへの高速スイッチング動作を遂行することをサービングアンカーＢＳに通知する区間を意味する。上記スイッチ区間については、図２を参照して説明するので、ここでは、その詳細な説明を省略する。ステップＳ１０９で、上記スイッチ区間の開始時点を検出した後、ＭＳは、上記スイッチ区間で、ＭＳがサービングアンカーＢＳで高速スイッチング動作を遂行するターゲットアンカーＢＳのＴｅｍｐ ＢＳ ＩＤをサービングアンカーＢＳへ送信する。ここで、ＭＳは、サービングアンカーＢＳから割り当てられたＣＱＩＣＨを介してターゲットアンカーＢＳのＴｅｍｐ ＢＳ ＩＤ、すなわち、Ｔｅｍｐ ＢＳ ＩＤに該当するコードワード（codeword）をサービングアンカーＢＳへ送信する。上記ＣＱＩＣＨは、ＭＳがサービングアンカーＢＳのＣＱＩ値をフィードバック（feedback）するか、あるいは、上記ＦＢＳＳ方式に基づく高速スイッチング動作を遂行する過程で制御信号を送信するのに使用されるチャネルである。
【００１２】
また、該当Ｔｅｍｐ ＢＳ ＩＤにマッピングされるコードワードは、下記＜表１＞に示す通りである。
【００１３】
【表１】
2008526160.tif 000003
【００１４】
上記＜表１＞において、“Ｖａｌｕｅ”は、アクティブＢＳの各々のＴｅｍｐ ＢＳ ＩＤに該当するコードワードを示す。例えば、ＭＳがサービングアンカーＢＳからＴｅｍｐ ＢＳ ＩＤ＝‘０１１’を有するターゲットアンカーＢＳへの高速スイッチングを遂行することを希望する場合には、ＭＳは、Ｔｅｍｐ ＢＳ ＩＤ＝‘０１１’に該当するコードワード‘０ｂ１０００１１’を、ＣＱＩＣＨを介してサービングアンカーＢＳへ送信する。上記＜表１＞において、コードワード‘０ｂ１０１０００’は、アクティブＢＳのＴｅｍｐ ＢＳ ＩＤに該当するコードワードではなく、サービングアンカーＢＳがＭＳへ送信したアンカーＢＳスイッチ情報エレメント（Information Element：以下、“ＩＥ”と称する）（Anchor BS Switch IE）を受信したことをＭＳに通知するのに使用されたコードワードである。Ａｎｃｈｏｒ ＢＳ Ｓｗｉｔｃｈ ＩＥのフォーマット（format）については、下記に詳細に説明するので、ここでは、その詳細な説明を省略する。
【００１５】
ステップＳ１１１で、ＭＳは、サービングアンカーＢＳに関するＣＱＩ値をターゲットアンカーＢＳのＴｅｍｐ ＢＳ ＩＤに該当するコードワードを送信するのに使用されたＣＱＩＣＨと同一のＣＱＩＣＨを介して送信する。ステップＳ１１３で、ＭＳは、ＭＳのターゲットアンカーＢＳへの高速スイッチング取消要求を示すＡｎｃｈｏｒ ＢＳ Ｓｗｉｔｃｈ ＩＥがサービングアンカーＢＳから受信されるか否かを検査する。ここで、Ａｎｃｈｏｒ ＢＳ Ｓｗｉｔｃｈ ＩＥのフォーマットは、下記＜表２Ａ＞及び＜表２Ｂ＞に示す。
【００１６】
【表２Ａ】
2008526160.tif 000004
【表２Ｂ】
2008526160.tif 000005
【００１７】
上記＜表２Ａ＞及び＜表２Ｂ＞において、Ｎ_Ａｎｃｈｏｒ ＢＳ_Ｓｗｉｔｃｈは、Ａｎｃｈｏｒ ＢＳ Ｓｗｉｔｃｈ ＩＥに含まれているアンカーＢＳ高速スイッチング情報の個数を示し、Ａｎｃｈｏｒ ＢＳ Ｓｗｉｔｃｈ ＩＥは、ＭＡＰメッセージに含まれてブロードキャストされるので、複数のＭＳに割り当てられたアンカーＢＳ高速スイッチング情報を含むことができる。ここで、上記アンカーＢＳ高速スイッチング情報の各々は、“ｆｏｒ（ｉ＝０；ｉ＜Ｎ_Ａｎｃｈｏｒ ＢＳ_Ｓｗｉｔｃｈ；ｉ＋＋）”構成内の情報の各々と同一である。Ａｎｃｈｏｒ ＢＳ Ｓｗｉｔｃｈ ＩＥは、各アンカーＢＳ高速スイッチング情報の各々に対する接続識別子（Connection Identifier：以下、“ＣＩＤ”と称する）と、アクションコード（Action code：以下、“Ａｃｔｉｏｎ ｃｏｄｅ”と称する）と、Ａｃｔｉｏｎ ｃｏｄｅに関するＣＱＩＣＨ割当情報とを含む。上記ＣＩＤは、各ＭＳの基本ＣＩＤ（Basic CID）を示し、Ａｃｔｉｏｎ ｃｏｄｅは、ＭＳがターゲットアンカーＢＳへの高速スイッチング動作を行うスイッチ区間に関する情報、または、サービングアンカーＢＳが示した区間、すなわち、スイッチ区間で、ＭＳがサービングアンカーＢＳによって示されたターゲットアンカーＢＳへの高速スイッチング動作を行うように命令するか、あるいは、ＭＳが高速スイッチング動作を取り消すように命令するのに使用される情報を示す。
【００１８】
上記＜表２Ａ＞に示すように、Ａｃｔｉｏｎ ｃｏｄｅ＝‘００’は、ＭＳがダウンリンクチャネルディスクリプタ（Downlink Channel Descriptor：以下、“ＤＣＤ”と称する）メッセージに定義されているスイッチ区間内のデフォルト時間でターゲットアンカーＢＳへの高速スイッチング動作を遂行しなければならないことを示し、Ａｃｔｉｏｎ ｃｏｄｅ＝‘０１’は、ＭＳがＡｎｃｈｏｒ ＢＳ Ｓｗｉｔｃｈ ＩＥに定められているアクション時間（action time：以下、“Ａｃｔｉｏｎ ｔｉｍｅ”と称する）でターゲットアンカーＢＳへの高速スイッチング動作を遂行しなければならないことを示し、Ａｃｔｉｏｎ ｃｏｄｅ＝‘１０’は、ＭＳが上記高速スイッチング動作を取り消し、サービングアンカーＢＳとの通信を維持しなければならないことを示す。
【００１９】
また、上記＜表２Ｂ＞において、上記ＣＱＩＣＨ割当指示子は、ＭＳがターゲットアンカーＢＳで使用するＣＱＩＣＨ割当情報を示す。上記ＣＱＩＣＨ割当情報は、ＣＱＩＣＨ識別子（ＣＱＩＣＨ ＩＤ）と、ＵＬ-ＭＡＰメッセージに定義されているＣＱＩ領域でＭＳに実際に割り当てられたＣＱＩＣＨの位置を示すフィードバックチャネルオフセット（Feedback channel offset）と、ＭＳがＣＱＩ値を報告する周期を示すＰｅｒｉｏｄ（ｐ）と、ＭＳがＣＱＩ値の報告を開始する時点を示すフレームオフセット（Frame offset）と、ターゲットアンカーＢＳから割り当てられたＣＱＩＣＨの有効使用区間に関する情報を示すＤｕｒａｔｉｏｎ（ｄ）とを含む。従って、上記ＣＱＩＣＨ割当情報を受信しているＭＳは、上記フレームオフセット時点の後のフレーム区間に対して、２ｐフレームごとに上記ＣＱＩＣＨを介してターゲットアンカーＢＳにＣＱＩ値を報告する。
【００２０】
一方、上記検査の結果、ステップＳ１１３で、ＭＳがターゲットアンカーＢＳへの高速スイッチング取消要求を示すＡｎｃｈｏｒ ＢＳ Ｓｗｉｔｃｈ ＩＥがサービングアンカーＢＳから受信された場合、すなわち、上記Ａｃｔｉｏｎ ｃｏｄｅが‘１０’に設定される場合、ＭＳは、ステップＳ１１５へ進行する。ステップＳ１１５で、ＭＳは、サービングアンカーＢＳからターゲットアンカーＢＳへの高速スイッチング動作を取り消した後、上記過程を終了する。
【００２１】
しかしながら、上記検査の結果、ステップＳ１１３で、ＭＳがターゲットアンカーＢＳへの高速スイッチング取消要求を示すＡｎｃｈｏｒ ＢＳ Ｓｗｉｔｃｈ ＩＥがサービングアンカーＢＳから受信されない場合、ＭＳは、ステップＳ１１７へ進行して、上記スイッチ区間が終了したか否かを検査する。上記検査の結果、上記スイッチ区間が終了しなかった場合、ＭＳは、ステップＳ１０９へ戻って、ターゲットアンカーＢＳへの所望の高速スイッチング動作を示す情報、すなわち、ターゲットアンカーＢＳのＴｅｍｐ ＢＳ ＩＤに該当するコードワードをサービングアンカーＢＳへ反復して送信することができる。ターゲットアンカーＢＳのＴｅｍｐ ＢＳ ＩＤに該当するコードワードの反復送信は、ステップＳ１１７で、上記スイッチ区間が終了したか、あるいは、上記スイッチ区間が終了しなかったとしても、ステップＳ１１３で、ＭＳがターゲットアンカーＢＳへの高速スイッチング取消要求を示すＡｎｃｈｏｒ ＢＳ Ｓｗｉｔｃｈ ＩＥがサービングアンカーＢＳから受信されるまで遂行される。
【００２２】
上記検査の結果、ステップＳ１１７で、上記スイッチ区間が終了した場合、ＭＳは、ステップＳ１１９へ進行して、ターゲットアンカーＢＳで使用されるＣＱＩＣＨ割当情報がサービングアンカーＢＳから受信されるか否かを検査する。ここで、ＭＳがサービングアンカーＢＳからターゲットアンカーＢＳへの高速スイッチング動作を遂行する前に、ＭＳは、ターゲットアンカーＢＳで使用されるＣＱＩＣＨ割当情報を予め割り当てられているＣＱＩＣＨ割当情報を通じて、あるいは、上記スイッチ区間の間、上記＜表２Ａ＞及び＜表２Ｂ＞に示したようなＡｎｃｈｏｒ ＢＳ Ｓｗｉｔｃｈ ＩＥを通じて認識することができる。これとは異なり、ＭＳのダイバーシティセットに新たなアクティブＢＳを付加する過程でも、ＭＳは、ハンドオーバ制御メッセージを通じてアクティブＢＳのＣＱＩＣＨ割当情報を取得することができる。上記ハンドオーバ制御メッセージを通じたダイバーシティセットを管理する動作は、本発明とは直接的な関連がないので、ここでは、その詳細な説明を省略する。
【００２３】
上記検査の結果、ステップＳ１１９で、ターゲットアンカーＢＳで使用されるＣＱＩＣＨ割当情報を受信しなかった場合、ＭＳは、ステップＳ１２１へ進行して、サービングアンカーＢＳからターゲットアンカーＢＳへの高速スイッチング動作を遂行した後、所定の時間を待機する。そして、ＭＳは、上記所定の時間内に、ターゲットアンカーＢＳがブロードキャストするＭＡＰメッセージを通じてＣＱＩＣＨ割当情報が受信されるか否かを検査する。ここで、上記ＣＱＩＣＨ割当情報を含んでいる上記ＭＡＰメッセージ内のＣＱＩＣＨ割当情報、すなわち、ＣＱＩＣＨ割当（CQICH allocation）ＩＥ（以下、“ＣＱＩＣＨ Ａｌｌｏｃ ＩＥ”と称する）のフォーマットは、下記＜表３＞に示す。
【００２４】
【表３】
2008526160.tif 000006
【００２５】
上記＜表３＞において、ターゲットアンカーＢＳで割り当てられたＣＱＩＣＨ Ａｌｌｏｃ ＩＥは、ターゲットアンカーＢＳとの制御信号の送受信のためにＭＳが使用するＣＱＩＣＨ割当情報を示し、ＣＱＩＣＨ Ａｌｌｏｃ ＩＥは、ＣＱＩＣＨ ＩＤと、ＵＬ-ＭＡＰメッセージに定義されているＣＱＩ領域内の実際のＣＱＩＣＨの位置情報を提供するフィードバックチャネルオフセット（Feedback channel offset）と、ＣＱＩＣＨを割り当てられた後、ＭＳが実際にＣＱＩ値の報告を開始する時点を示すフレームオフセット（Frame offset）とを含む。また、上記ＣＱＩＣＨ Ａｌｌｏｃ ＩＥは、上記ＣＱＩ値を報告する周期を示すＰｅｒｉｏｄ（ｐ）と、ＭＳが割り当てられたＣＱＩＣＨを使用することができる有効時間を示すＤｕｒａｔｉｏｎ（ｄ）とを含む。
【００２６】
一方、上記検査の結果、ステップＳ１２１で、上記ＣＱＩＣＨ割当情報が受信されない場合、ＭＳは、ステップＳ１２３へ進行する。ステップＳ１２３で、ＭＳがターゲットアンカーＢＳから上記ＣＱＩＣＨ割当情報を受信することができなかったため、すなわち、ＭＳがサービングアンカーＢＳからターゲットアンカーＢＳへの高速スイッチング動作を完了した後でも、ターゲットアンカーＢＳから上記ＣＱＩＣＨ割当情報を受信することができなかったため、ターゲットアンカーＢＳとのネットワーク再進入（network re-entry）動作を遂行した後に、上記過程を終了する。ここで、上記“ネットワーク再進入動作”とは、ターゲットアンカーＢＳとの同期を取得した後に、初期レンジング（initial ranging）と、登録（registration）及び認証（authentication）とを遂行する動作を意味する。
【００２７】
しかしながら、上記検査の結果、ステップＳ１１９で、ターゲットアンカーＢＳで使用されるＣＱＩＣＨ割当情報が受信された場合、ＭＳは、ステップＳ１２５へ進行する。また、上記検査の結果、ステップＳ１２１で、上記ＣＱＩＣＨ割当情報が受信された場合、ＭＳは、ステップＳ１２５へ進行する。ステップＳ１２５で、ＭＳは、ＭＳ自身に割り当てられたＣＱＩＣＨを介したターゲットアンカーＢＳへの高速スイッチング動作及びターゲットアンカーＢＳとの通信を遂行した後、上記過程を終了する。
【００２８】
図１では、従来のＩＥＥＥ８０２．１６通信システムにおけるＭＳのＦＢＳＳ方式に基づく高速スイッチング動作について説明した。次いで、図２を参照して、一般的なＩＥＥＥ８０２．１６通信システムにおけるＭＳのＦＢＳＳ方式に基づく高速スイッチング動作時に使用されるアンカースイッチ報告（Anchor Switch Reporting：以下、“ＡＳＲ”と称する）スロット（slot）のフォーマットについて説明する。
【００２９】
図２は、従来のＩＥＥＥ８０２．１６通信システムにおけるＭＳのＦＢＳＳ方式に基づく高速スイッチング動作時に使用されるＡＳＲスロットのフォーマットを示す図である。参照符号２０１は、ＭＳからサービングアンカーＢＳへの制御信号の送信を時間軸で示し、参照符号２０３は、ＭＳからターゲットアンカーＢＳへの制御信号の送信を時間軸で示す。図２に示すように、上記ＦＢＳＳ方式において、上記時間軸は、ＡＳＲスロット単位で分割される。ここで、上記ＡＳＲスロットの各々は、複数の、例えば、Ｍ個のフレームで構成され、上記ＡＳＲスロットを構成するフレームの個数Ｍは、ＢＳによって決定され、ＭＳは、ＢＳによって決定された上記ＡＳＲを構成するフレームの個数Ｍを、ＤＣＤメッセージを通じて認識する。
【００３０】
参照符号２０５は、ＭＳがサービングアンカーＢＳとの通信を遂行している高速スイッチング動作前のＡＳＲスロットを示し、参照符号２０７及び参照符号２０９は、ＭＳがサービングアンカーＢＳからターゲットアンカーＢＳへの高速スイッチング動作をサービングアンカーＢＳに通知するのに使用された制御信号を送信するスイッチ区間内のＡＳＲスロットを示す。上記スイッチ区間は、少なくとも１つ以上のＡＳＲスロットを含む。上記スイッチ区間を構成するＡＳＲスロットの個数も、基地局によって決定され、ＭＳは、ＢＳによって決定された上記スイッチ区間を構成するＡＳＲスロットの個数を、ＤＣＤメッセージを通じて認識する。参照符号２１１は、ＭＳがサービングアンカーＢＳからターゲットアンカーＢＳへの高速スイッチング動作を遂行した後、すなわち、上記スイッチ区間が終了した後、ターゲットアンカーＢＳとの通信を遂行するＡＳＲスロットを示す。
【００３１】
まず、ＭＳがサービングアンカーＢＳと通信を遂行している高速スイッチング動作前のＡＳＲスロット２０５で、ＭＳは、サービングアンカーＢＳと通信を遂行する間に、ＡＳＲスロット２０５内のフレームごとに、サービングアンカーＢＳのＣＱＩ値をサービングアンカーＢＳへ送信する。ＡＳＲスロット２０５で、ＭＳがサービングアンカーＢＳからターゲットアンカーＢＳへの高速スイッチング動作を遂行しなければならないことを決定すると、ＭＳは、上記高速スイッチング動作を遂行することを決定した時点で、上記高速スイッチング動作を即座に遂行することなく、上記高速スイッチング動作を遂行することを決定した該当ＡＳＲスロット、すなわち、ＡＳＲスロット２０５が終了するまで待機する。
【００３２】
ＡＳＲスロット２０５が終了した後、ＭＳは、サービングアンカーＢＳからターゲットアンカーＢＳへの高速スイッチングを遂行することを上記スイッチ区間の間サービングアンカーＢＳへ通知する。この場合、ＭＳは、サービングアンカーＢＳからターゲットアンカーＢＳへの高速スイッチング動作を遂行することを示す指示子（indicator）ＩＢとサービングアンカーＢＳのＣＱＩ値ＣＡとをサービングアンカーＢＳへ送信する。図２では、指示子ＩＢ及びＣＱＩ値ＣＡがフレーム単位で交互に送信されるとしても、ＭＳは、上記スイッチ区間で指示子ＩＢ及びＣＱＩ値ＣＡを送信するパターン（pattern）を可変的に決定することができる。いずれにしても、ＭＳは、上記スイッチ区間の一番目のＡＳＲスロットで指示子ＩＢ及びＣＱＩ値ＣＡを少なくとも一回送信しなければならない。
【００３３】
また、上記スイッチ区間が終了した後、サービングアンカーＢＳからターゲットアンカーＢＳへの高速スイッチング動作を遂行したＭＳは、ターゲットアンカーＢＳとの通信を遂行する間に、ＡＳＲスロット２１１でターゲットアンカーＢＳのＣＱＩ値を送信する。
【００３４】
上述したように、上記ＦＢＳＳ方式を使用する場合、ＭＳは、ＣＱＩＣＨを使用して制御信号を送信することによってサービングアンカーＢＳからターゲットアンカーＢＳへの高速スイッチング動作を遂行する。しかしながら、上記スイッチ区間でサービングアンカーＢＳからターゲットアンカーＢＳへの高速スイッチング動作を遂行した後、ＭＳがターゲットアンカーＢＳからＣＱＩＣＨを予め割り当てられていない場合には、上述したように、ＭＳは、ターゲットアンカーＢＳとのネットワーク再進入動作を遂行しなければならず、これによって、ＭＳの接続確立に遅延が発生するおそれがある。
【００３５】
従って、ＭＳが上記ＦＢＳＳ方式に基づく高速スイッチング動作を遂行した後でも、ターゲットアンカーＢＳからＣＱＩＣＨ割当情報を取得することができない場合、ＭＳは、ターゲットアンカーＢＳとのネットワーク再進入動作を遂行に伴う接続確立の遅延をもたらす。このことより、上記ＦＢＳＳ方式に基づく高速スイッチング動作を遂行した後、ＭＳがターゲットアンカーＢＳとの接続を迅速に確立できるようにする方案に対する必要性が高まっている。
【発明の開示】
【発明が解決しようとする課題】
【００３６】
上記背景に鑑みて、本発明の目的は、通信システムにおけるＣＱＩＣＨを割り当てるシステム及び方法を提供することにある。
本発明の他の目的は、通信システムにおけるＦＢＳＳ方式に基づく高速スイッチング動作時のＣＱＩＣＨを割り当てるシステム及び方法を提供することにある。
本発明のさらなる目的は、通信システムにおけるＦＢＳＳ方式に基づく高速スイッチング動作時のＭＳがＣＱＩＣＨの割当要求をターゲットアンカーＢＳへ送信するシステム及び方法を提供することにある。
【課題を解決するための手段】
【００３７】
上記のような目的を達成するために、本発明の第１の特徴によると、通信システムは、移動端末機がサービングアンカー基地局からターゲットアンカー基地局への高速スイッチングを行った後、上記ターゲットアンカー基地局から割り当てられたチャネル品質情報チャネルが存在しないことを検出し、上記割り当てられたチャネル品質情報チャネルが存在しないことを検出すると、上記移動端末機が上記チャネル品質情報チャネルの割当要求を上記ターゲットアンカー基地局へ送信し、上記チャネル品質情報チャネルの割当要求を受信すると、上記ターゲットアンカー基地局が上記チャネル品質情報チャネルを上記移動端末機に割り当てるべきことを検出することを特徴とする。
【発明の効果】
【００３８】
本発明の実施形態によるＢＷＡ通信システムにおいて、ＦＢＳＳ方式に基づく高速スイッチング動作の間に、サービングアンカーＢＳからターゲットアンカーＢＳへの高速スイッチング動作を遂行した後でも、ＭＳがターゲットアンカーＢＳからＣＱＩＣＨの割当てを受けることができない場合、ＭＳは、ＣＱＩＣＨの割当要求をターゲットアンカーＢＳへ送信することによって、ＭＳの接続確立の遅延を低減させることができる。特に、高速スイッチング動作を遂行する間に、ＭＳは、帯域幅要求ヘッダーを用いてＣＱＩＣＨの割当要求をターゲットアンカーＢＳへ送信することによって、ターゲットアンカーＢＳとの接続確立を高速で行うことができるという長所を有する。
【発明を実施するための最良の形態】
【００３９】
以下、本発明の好適な一実施形態を添付図面を参照しつつ詳細に説明する。下記の説明において、本発明の要旨のみを明瞭にする目的で、関連した公知の機能又は構成に関する具体的な説明は省略する。
【００４０】
本発明は、通信システムにおけるチャネル品質情報チャネル（Channel Quality Information Channel：以下、“ＣＱＩＣＨ”と称する）を割り当てるシステム及び方法を提案する。また、本発明は、広帯域無線接続（Broadband Wireless Access：以下、“ＢＷＡ”と称する）通信システムにおける高速基地局スイッチング（Fast Base Station Switching：以下、“ＦＢＳＳ”と称する）方式に基づく高速スイッチング動作の際にＣＱＩＣＨを割り当てるシステム及び方法を提案する。さらに、本発明は、ＢＷＡ通信システムにおける移動端末機（Mobile Station：以下、“ＭＳ”と称する）がサービング（serving）アンカー（Anchor）基地局（Base Station：以下、“ＢＳ”と称する）からターゲット（target）アンカーＢＳへの高速スイッチング動作を遂行した後でも、ターゲットアンカーＢＳからＣＱＩＣＨの割当てを受けることができない場合、ＭＳは、ＣＱＩＣＨの割当要求をターゲットアンカーＢＳへ送信し、ターゲットアンカーＢＳは、ＭＳからのＣＱＩＣＨ割当要求に応じて、ＣＱＩＣＨをＭＳに割り当てるシステム及び方法を提案する。以下、説明の便宜上、本発明の実施形態は、典型的なＢＷＡ通信システムの１つであるＩＥＥＥ（Institute of Electrical and Electronics Engineers）８０２．１６通信システムの例を挙げて説明する。本発明の実施形態は、ＩＥＥＥ８０２．１６通信システムだけではなく、他の通信システムにも適用されることができる。
【００４１】
図３は、本発明の実施形態によるＩＥＥＥ８０２．１６通信システムにおけるＦＢＳＳ方式に基づく高速スイッチング動作を示す信号フロー図である。
図３を参照すると、まず、ステップＳ３０１で、ＭＳ３００は、サービングアンカーＢＳ３５０と通信を遂行する。ここで、ＭＳ３００がサービングアンカーＢＳ３５０と通信を遂行するということは、サービングアンカーＢＳ３５０が送信したＭＡＰメッセージ、すなわち、ダウンリンク（downlink）ＭＡＰ（ＤＬ-ＭＡＰ）メッセージ及びアップリンク（uplink）ＭＡＰ（ＵＬ-ＭＡＰ）メッセージにＭＳ３００のための割当情報が含まれていることを意味する。サービングアンカーＢＳ３５０と通信を遂行する間に、ＭＳ３００は、サービングアンカーＢＳ３５０のＣＱＩ値をサービングアンカーＢＳ３５０から割り当てられたＣＱＩＣＨを介して送信する。また、サービングアンカーＢＳ３５０と通信を遂行する間に、ＭＳ３００は、ステップＳ３０３で、ＭＳ３００のダイバーシティセット（diversity set）を構成するアクティブＢＳの各々の信号品質を測定する。ここで、アクティブＢＳの各々の信号品質を測定するということは、アクティブＢＳの各々から受信される信号の強度、例えば、キャリア対干渉雑音比（Carrier to Interference and Noise Ratio：以下、“ＣＩＮＲ”と称する）を測定することを意味する。
【００４２】
ＭＳ３００は、上記ダイバーシティセットに含まれているアクティブＢＳの各々に対する信号品質の測定結果に従って、サービングアンカーＢＳを変更しなければならないことを決定する。言い換えれば、ＭＳ３００は、ステップＳ３０５で、ＭＳ３００のアンカーＢＳをサービングアンカーＢＳ３５０からアクティブＢＳのうちの特定のアクティブＢＳ、すなわち、ターゲットアンカーＢＳ３６０に変更しなければならないことを決定する。ここで、ＭＳ３００は、サービングアンカーＢＳ３５０から受信される信号品質より優れた信号品質を有するアクティブＢＳ、すなわち、ターゲットアンカーＢＳ３６０が存在する場合、ＭＳ３００のアンカーＢＳをサービングアンカーＢＳ３５０からターゲットアンカーＢＳ３６０に変更しなければならないことを決定する。
【００４３】
ＭＳ３００のアンカーＢＳを変更しなければならないことを決定すると、ＭＳ３００は、該当アンカースイッチ報告（Anchor Switch Reporting：以下、“ＡＳＲ”と称する）スロット（slot）の終了後に、スイッチ区間（switch period）の開始時点を検出する。上記スイッチ区間において、ＭＳ３００がサービングアンカーＢＳ３５０からターゲットアンカーＢＳ３６０への高速スイッチング動作を遂行することを通知するために、ＭＳ３００は、ステップＳ３０７で、ターゲットアンカーＢＳ３６０の臨時ＢＳ指示子（Temporary Base station Indicator：以下、“Ｔｅｍｐ ＢＳ ＩＤ”と称する）に該当するコードワード（codeword）をサービングアンカーＢＳ３５０へ送信する。上記ＡＳＲスロットのフォーマット（format）は、図２と関連して説明した従来のＩＥＥＥ８０２．１６通信システムにおけるＭＳのＦＢＳＳ方式に基づく高速スイッチング動作時に使用されるＡＳＲスロットのフォーマットと同一なので、ここでは、その詳細な説明を省略する。また、Ｔｅｍｐ ＢＳ ＩＤに該当するコードワードは、上記＜表１＞を参照して説明したものと同一なので、ここでは、その詳細な説明を省略する。
【００４４】
また、上記スイッチ区間でターゲットアンカーＢＳ３６０のＴｅｍｐ ＢＳ ＩＤに該当するコードワードを送信した後、ＭＳ３００は、ステップＳ３０９で、サービングアンカーＢＳ３５０のＣＱＩ値をサービングアンカーＢＳ３５０へ送信する。一方、上記スイッチ区間が終了するか、または、上記スイッチ区間が終了しなかったとしても、サービングアンカーＢＳ３５０からＭＳ３００のターゲットアンカーＢＳ３６０への高速スイッチング取消要求を示すアンカーＢＳスイッチ情報エレメント（Information Element：以下、“ＩＥ”と称する）（Anchor BS Switch IE）を受信するまで、ターゲットアンカーＢＳ３６０のＴｅｍｐ ＢＳ ＩＤに該当するコードワードを送信し、サービングアンカーＢＳ３５０のＣＱＩ値を送信する動作を反復する（ステップＳ３１１及びステップＳ３１３）。アンカーＢＳスイッチＩＥは、上記＜表２Ａ＞及び＜表２Ｂ＞を参照して説明したものと同一なので、ここでは、その詳細な説明を省略する。
【００４５】
このように、ＭＳ３００がサービングアンカーＢＳ３５０からターゲットアンカーＢＳ３６０への高速スイッチング動作を遂行することをサービングアンカーＢＳ３５０に通知するために、上記スイッチ区間で、ＭＳ３００がターゲットアンカーＢＳ３６０のＴｅｍｐ ＢＳ ＩＤに該当するコードワードを送信したとしても、サービングアンカーＢＳ３５０は、ステップＳ３１５で、予定されている高速スイッチング動作を認識することができないことがある。サービングアンカーＢＳ３５０がＭＳ３００のターゲットアンカーＢＳ３６０への高速スイッチング動作の認識に失敗したので、サービングアンカーＢＳ３５０は、ＭＳ３００の高速スイッチング動作をターゲットアンカーＢＳ３６０に通知することができない。
【００４６】
一方、上記スイッチ区間が終了すると、ＭＳ３００は、ステップＳ３１７で、サービングアンカーＢＳ３５０からターゲットアンカーＢＳ３６０への高速スイッチング動作を遂行する。ターゲットアンカーＢＳ３６０への高速スイッチング動作を遂行した後、ＭＳ３００は、ステップＳ３１９で、ターゲットアンカーＢＳ３６０からＣＱＩＣＨの割当てを受けることができないことを認識する。ここで、ＭＳ３００は、ターゲットアンカーＢＳ３６０からブロードキャストされたＭＡＰメッセージを通じてターゲットアンカーＢＳ３６０から割り当てられたＣＱＩＣＨに関する割当情報を検出する。ＭＳ３００に関するＣＱＩＣＨ割当情報が上記ＭＡＰメッセージに存在しない場合、ＭＳ３００は、ターゲットアンカーＢＳ３６０からＣＱＩＣＨの割当てを受けることができないことを認識する。
【００４７】
このように、ターゲットアンカーＢＳ３６０からＣＱＩＣＨの割当てを受けることができないことを認識したＭＳ３００は、ステップＳ３２１で、ＣＱＩＣＨの割当要求をターゲットアンカーＢＳ３６０へ送信する。ここで、ＭＳ３００は、帯域幅要求（Bandwidth Request）ヘッダー（header）のタイプ（Type）フィールド値を‘１１１’に設定して送信することによって、上記ＣＱＩＣＨの割当要求をターゲットアンカーＢＳ３６０へ送信する。上記ＣＱＩＣＨの割当てを要求するために送信される帯域幅要求ヘッダーのフォーマットについては、下記に詳細に説明するので、ここでは、その詳細な説明を省略する。
【００４８】
ＭＳ３００からタイプフィールド値＝‘１１１’を有する帯域幅要求ヘッダーを受信すると、ターゲットアンカーＢＳ３６０は、ステップＳ３２３で、ＭＳ３００がＣＱＩＣＨの割当てを要求することを判断して、ＭＳ３００へＣＱＩＣＨを割り当てるべきことを認識する。従って、ターゲットアンカーＢＳ３６０は、ＭＳ３００が使用するＣＱＩＣＨを割り当て、ステップＳ３２５で、上記割り当てられたＣＱＩＣＨに関する情報をＭＳ３００へ送信する。上記ＣＱＩＣＨ割当情報、すなわち、ＣＱＩＣＨ Ａｌｌｏｃ ＩＥは、ＵＬ-ＭＡＰメッセージを通じてブロードキャストされ、ＣＱＩＣＨ Ａｌｌｏｃ ＩＥのフォーマットは、＜表３＞を参照して説明したものと同一なので、ここでは、その詳細な説明を省略する。
【００４９】
一方、図３では、上記帯域幅要求ヘッダーを用いてＭＳ３００のＣＱＩＣＨの割当要求を送信する動作について説明したが、ＭＳ３００は、ターゲットアンカーＢＳ３６０とネットワーク再進入動作を遂行する間に送信されるレンジング要求（Ranging-Request：以下、“ＲＮＧ-ＲＥＱ”と称する）メッセージにタイプ／長さ／値（Type/Length/Value：ＴＬＶ）を付加する方法で上記ＣＱＩＣＨの割当要求を送信することもできる。すなわち、ＲＮＧ-ＲＥＱメッセージのＴＬＶに設定されるＣＱＩＣＨ割当指示ビット（Allocation Indication bit）を有するＲＮＧ-ＲＥＱメッセージを受信すると、ターゲットアンカーＢＳ３６０は、ＭＳ３００がＣＱＩＣＨの割当てを要求することを認識して、ＭＳ３００にＣＱＩＣＨを割り当てる。
【００５０】
本発明の実施形態を、上記帯域幅要求ヘッダーを用いてＭＳ３００のＣＱＩＣＨの割当要求を送信する方法に関連して説明したが、本発明の他の実施形態では、上記ＣＱＩＣＨの割当てを要求するための新たなメッセージまたはメッセージヘッダーを定義することもできる。
【００５１】
図３を参照して、本発明の実施形態によるＩＥＥＥ８０２．１６通信システムにおけるＦＢＳＳ方式に基づく高速スイッチング動作について説明した。次いで、図４を参照して、本発明の実施形態によるＣＱＩＣＨの割当てを要求するための帯域幅要求ヘッダーのフォーマットについて説明する。
【００５２】
図４は、本発明の実施形態によるＣＱＩＣＨの割当てを要求するための帯域幅要求ヘッダーのフォーマットを示す図である。図４を参照すると、上記帯域幅要求ヘッダーは、ＭＳが制御信号またはデータを送信するための帯域幅の割当てを要求するために送信される媒体アクセス制御（Medium Access Control：以下、“ＭＡＣ”と称する）ヘッダーであり、上記帯域幅要求ヘッダーの各フィールドに示されている数字は、該当フィールドを構成するビット数を示す。上記帯域幅要求ヘッダーのヘッダータイプ（Header Type：ＨＴ）フィールドは、ヘッダータイプを示し、暗号化制御（Encryption control：ＥＣ）フィールドは、暗号化制御（encryption control）を示す。また、タイプフィールドは、ＭＡＣヘッダーのタイプを示し、帯域幅要求（Bandwidth Request：ＢＲ）フィールドは、ＭＳが割り当てられることを要求する要求帯域幅を示す。タイプフィールドは、該当帯域幅の割当要求のタイプを示す。例えば、上記タイプフィールドが‘０００’に設定される場合、上記帯域幅の割当要求が‘インクリメンタル（incremental）’、すなわち、ＢＲフィールドに設定された値が、ＭＳが後で割り当てられることを要求する付加的な帯域幅を示すことを意味する。例えば、上記タイプフィールドが‘０００’に設定され、上記ＢＲフィールドが‘２００’に設定される場合、ＭＳが付加的な２００ビットの帯域幅をさらに割り当てられることを要求することを意味する。
【００５３】
また、上記フィールド値が‘００１’に設定された場合、上記帯域幅の割当要求が‘アグリゲート（aggregate）’、すなわち、ＢＲフィールドに設定された値が、ＭＳが後で割り当てられることを要求する全帯域幅を示すことを意味する。例えば、タイプフィールドが‘００１’に設定され、上記ＢＲフィールドが‘８００’に設定される場合、ＭＳが現在まで割り当てられた帯域幅と上記帯域幅の割当要求を通じて割り当てられる帯域幅とを総計することによって得られた８００ビットの帯域幅がＭＳに割り当てられることを示す。
【００５４】
本発明の実施形態は、上記タイプフィールドを‘１１１’に設定する。上記タイプフィールドが‘１１１’に設定される場合、サービングアンカーＢＳからターゲットアンカーＢＳへの高速スイッチング動作を遂行したＭＳは、ターゲットアンカーＢＳで使用されるＣＱＩＣＨの割当てを要求する。上記タイプフィールドが‘１１１’に設定された場合、ＢＲフィールドは、‘０’、すなわち、ヌル（Null）で満たされるか、あるいは、ＭＳが測定したターゲットアンカーＢＳのＣＱＩ値に関連した情報で満たされることができる。ここで、ＭＳが測定したターゲットアンカーＢＳのＣＱＩ値に関連した情報は、例えば、５ビットで表現されることができる。
【００５５】
また、上記帯域幅要求ヘッダーの接続識別子（Connection Identifier：ＣＩＤ）フィールドは、ＭＳの基本ＣＩＤ（basic CID）を示し、ＨＣＳ（Header Check Sequence）フィールドは、ヘッダーチェックシーケンスを示す。すなわち、上記帯域幅要求ヘッダーは、ＭＳのＣＱＩＣＨの割当てを要求するＣＱＩＣＨ割当要求ヘッダー（CQICH allocation request header）である。
【００５６】
図４を参照して、本発明の実施形態によるＣＱＩＣＨの割当てを要求するための帯域幅要求ヘッダーのフォーマットについて説明した。次いで、図５を参照して、本発明の実施形態によるＩＥＥＥ８０２．１６通信システムにおけるＭＳのＦＢＳＳ方式に基づく高速スイッチング動作について説明する。
【００５７】
図５は、本発明の実施形態によるＩＥＥＥ８０２．１６通信システムにおけるＭＳのＦＢＳＳ方式に基づく高速スイッチング動作を示すフローチャートである。
図５を説明するに先立って、図５に示すステップＳ５０１乃至ステップＳ５１９の過程が図１を参照して説明したステップＳ１０１乃至ステップＳ１１９の過程と実質的に同一の動作を遂行するので、ここでは、その詳細な説明を省略する。ステップＳ５１９で、ＭＳは、ターゲットアンカーＢＳで使用されるＣＱＩＣＨ割当情報がサービングアンカーＢＳから受信されたか否かを検査する。上記検査の結果、ターゲットアンカーＢＳで使用されるＣＱＩＣＨ割当情報が受信されなかった場合、ＭＳは、ステップＳ５２１へ進行して、サービングアンカーＢＳからターゲットアンカーＢＳへの高速スイッチング動作を遂行した後、所定の時間を待機する。この後、ＭＳは、上記所定の時間内に、ターゲットアンカーＢＳがブロードキャストしたＭＡＰメッセージを通じて上記ＣＱＩＣＨ割当情報を受信したか否かを検査する。上記検査の結果、ステップＳ５２１で、上記ＣＱＩＣＨ割当情報が受信されない場合、ＭＳは、ステップＳ５２３へ進行する。
【００５８】
ステップＳ５２３で、ＭＳがターゲットアンカーＢＳのＣＱＩＣＨ割当情報を受信することができないため、すなわち、ＭＳがサービングアンカーＢＳからターゲットアンカーＢＳへの高速スイッチング動作を完了した後でも、ターゲットアンカーＢＳから上記ＣＱＩＣＨの割当てを受けることができないため、上記ＣＱＩＣＨの割当てを要求するための帯域幅要求ヘッダーをターゲットアンカーＢＳへ送信する。ステップＳ５２５で、ＭＳは、上記帯域幅要求ヘッダーを送信した回数が予め設定された最大送信回数を超過するか否かを検査する。上記検査の結果、上記帯域幅要求ヘッダーを送信した回数が上記最大送信回数を超過しない場合、ＭＳは、ステップＳ５２１へ戻る。
【００５９】
しかしながら、上記検査の結果、ステップＳ５２５で、上記帯域幅要求ヘッダーを送信した回数が上記最大送信回数を超過する場合、ＭＳは、ステップＳ５２７へ進行して、ターゲットアンカーＢＳとのネットワーク再進入動作を遂行した後、上記過程を終了する。ここで、上記“ネットワーク再進入動作”とは、ターゲットアンカーＢＳとの同期を取得した後、初期レンジング（initial ranging）と、登録（registration）及び認証（authentication）とを遂行する動作を意味する。
【００６０】
一方、上記検査の結果、ステップＳ５１９で、ターゲットアンカーＢＳで使用されるＣＱＩＣＨ割当情報が受信された場合、ＭＳは、ステップＳ５２９へ進行する。また、上記検査の結果、ステップＳ５２１で、上記ＣＱＩＣＨ割当情報が受信された場合、ＭＳは、ステップＳ５２９へ進行する。ステップＳ５２９で、ＭＳは、ＭＳ自身に割り当てられたＣＱＩＣＨを介してターゲットアンカーＢＳとの通信を遂行した後、上記過程を終了する。
【００６１】
なお、本発明の詳細な説明においては、具体的な実施の形態について説明したが、本発明の範囲から逸脱しない範囲内であれば、種々な変形が可能であることは言うまでもない。よって、本発明の範囲は、上述した実施の形態に限定されるものではなく、特許請求の範囲とその均等物によって定められるべきである。
【図面の簡単な説明】
【００６２】
【図１】従来のＩＥＥＥ８０２．１６通信システムにおけるＭＳのＦＢＳＳ方式に基づく高速スイッチング動作を示すフローチャートである。
【図２】従来のＩＥＥＥ８０２．１６通信システムにおけるＭＳのＦＢＳＳ方式に基づく高速スイッチング動作時に使用されるＡＳＲスロットのフォーマットを示す図である。
【図３】本発明の実施形態によるＩＥＥＥ８０２．１６通信システムにおけるＦＢＳＳ方式に基づく高速スイッチング動作を示す信号フロー図である。
【図４】本発明の実施形態によるＣＱＩＣＨの割当てを要求するための帯域幅要求ヘッダーのフォーマットを示す図である。
【図５】本発明の実施形態によるＩＥＥＥ８０２．１６通信システムにおけるＭＳのＦＢＳＳ方式に基づく高速スイッチング動作を示すフローチャートである。
【図１】
2008526160.tif 000007
【図２】
2008526160.tif 000008
【図３】
2008526160.tif 000009
【図４】
2008526160.tif 000010
【図５】
2008526160.tif 000011
【国際調査報告】
2008526160.tif 000012
2008526160.tif 000013
2008526160.tif 000014